(57)【要約】【課題】何らの治具を用いることなく弁座への組付けを簡易かつ確実にでき、しかも、逆流防止弁としての機能を増長できる傘形弁を提供する。【解決手段】本願弁体１は、軸部２の基端２ａに段部３を介して突出させた突出部４を、弁座５の中心孔６に挿着し、傘部７の頂部より突出した軸部２の上端２ｂを弁座ハウジング１０に結合した被冠ハウジング１１の一部で押え込むようにするだけで簡単に設置できる。その場合、軸部２の段部３より傘部７の周縁部の底面が低位になっているため、弁座５に対して高さの差分だけ強く押し付けられる上に、傘部７の周縁部の底面の内縁には環状膨出部９が形成されているので、その環状膨出部９の作用により、弁座ハウジング側から圧入される流体の流れには容易に開放作動するが、被冠ハウジング側（逆方向）からの流れには確実に流路を遮断できるように構成した。【選択図】図１
2007010124.tif 000002
【特許請求の範囲】
【請求項１】
基端に段部を介して、弁座の中心孔に挿着できる突出部を設けた軸部と、該軸部の途中に、前記弁座に備えた流路を覆うように展開させた傘部とからなり、該傘部の周縁部底面に内縁に沿って環状膨出部を形成し、かつ、該周縁部底面の高さを前記軸部の段部より低位にしたことを特徴とする傘形弁。
【発明の詳細な説明】
【技術分野】
【０００１】
本発明は、特に、体外血液回路又は点滴セット等の流体ラインの途中において注射器のシリンジにより薬液や栄養剤などの液体を患者の体内に注入する注入装置内に逆流防止弁として好適な傘形弁に関するものである。
【背景技術】
【０００２】
従来、逆流防止弁として用いられる傘形弁は、図６（ａ）の如く、軸部６１に傘部６２を成形し、その軸部６１を取付板（弁座）６３に固定するとともに傘部６２で前記取付板に設けた流路６４を通過する一方向（上向き）の流体Ａのみを通し、逆方向（下向き）の流体Ｂを遮断するようになっている。この傘形弁は、傘部６２の周縁部６２′が比較的薄肉に出来ていたため、その振動によって本来遮断できる逆向きの流体Ｂを遮断できない場合があった。この現象を改善するために、特開昭５４−１０６７４９号は、傘部６２の周縁部６２′の肉厚を円周上で不均一化（図示せず）して振動をなくし、逆向きの流体Ｂの遮断を確実にできるように工夫した。
【０００３】
また、従来の傘形弁において、軸部６１を弁座６３に固定するためのストッパー（拡大部）６５を弁座６３の中心孔６６に通して固定していたが、拡大部６５を弁座６３の中心孔６６に確実に通すことが容易でなく、取付けが不完全となり逆流防止弁としての機能を阻害することから、これを防止するために特開昭６２−２２８７６９号では、図６（ｂ）の如く、傘部６２の頂部（軸部６１の頂部）に組付治具６７の軸部６７′が挿入できる凹孔６８を設け、該組付治具６７により傘形弁の弁座への組付（固定）を確実に行えるように工夫していた。
【特許文献１】特開昭５４−１０６７４９号
【特許文献２】特開昭６２−２２８７６９号
【発明の開示】
【発明が解決しようとする課題】
【０００４】
しかしながら、前者の傘形弁（特開昭５４−１０６７４９号）は、傘部の周縁部の肉厚が円周上で不均一化していたため、流路を通す本来（上向き）の流体Ａの流れを悪くし、特に、体外血液回路や点滴セット等の流体回路の途中に設置した注入装置（図示せず）内にセットする逆流防止弁としての機能が不十分であった。換言すれば、体外血液回路や点滴セット等の流体回路の途中から薬液や栄養剤などの液体の患者への注入をスムーズに行えないという大きな問題があった。
【０００５】
また、後者の傘形弁（特開昭６２−２２８７６９号）は、取付板（弁座）６３へのストッパー（拡大部）の組付け易さは改善されたとしても、軸部６１のストッパー６５と弁座６３の中心孔６６との結合精度を、元々、正確に画定することは困難であり、不正確（ガタ）さがあったような場合には、組付け易さはよくなっても逆流防止弁としての機能は大きく阻害されるおそれがあった。
【０００６】
本発明は、上記課題を解消するためのもので、その目的とするところは、何らの治具を用いることなく弁座への組付けを簡易かつ確実にでき、しかも、逆流防止弁としての機能を増長できる傘形弁を提供する点にある。
【課題を解決するための手段】
【０００７】
上記の目的を達成するため、本発明に係る傘形弁は、基端に段部を介して、弁座の中心孔に挿着できる突出部を設けた軸部と、該軸部の途中に、前記弁座に備えた流路を覆うように展開させた傘部とからなり、該傘部の周縁部底面に内縁に沿って環状膨出部を形成し、かつ、該周縁部底面の高さを前記軸部の段部より低位にしたことを特徴とし、軸部の両端で傘部の周縁部を弁座によく密着させることができるように構成した。
【発明の効果】
【０００８】
本発明に係る傘形弁によれば、軸部の基端に段部を介して突出させた突出部を、弁座の中心孔に挿着し、傘部の頂部より突出した軸部の上端を弁座ハウジングに結合した被冠ハウジングの一部で押え込むようにするだけで簡単に設置することができる利点がある。また、その設置において、軸部の段部より傘部の周縁部の底面を低位にしているため、傘部の周縁部底面は弁座に対してその高さの差分だけ強く押し付けられる上に、傘部の周縁部の底面の内縁には環状膨出部が形成されているので、該環状膨出部の作用でより強く弁座に密着する。したがって、弁座ハウジング側から圧入される流体の流れには傘部はスムーズに開放作動するが、被冠ハウジング側（逆方向）からの流れには確実に流路を遮断できることとなる。すなわち、本願弁体を体外血液回路や点滴セット等の流体回路中に薬液や栄養剤などの液体の注入のための注入（側注）装置内にセットするときは、注入がスムーズに行える一方、注入後、流体の逆流を確実に防止できるという優れた効果を奏するものである。
【発明を実施するための最良の形態】
【０００９】
次に、本発明の実施の態様を添付図面に基づいて説明する。図１は本願弁体の正面断面図、図２は本願弁体の要部拡大断面図、図３は本願弁体を弁座にセットしたときの傘部の周縁部の作用を示す拡大断面図、図４は本願弁体とそのハウジングを示す断面図、図５は針返し手段を有する本願弁体のハウジングを示す断面図である。
【００１０】
本願弁体１は、図１の如く、軸部２の基端２ａに段部３を介して突出部４を設け、該突出部４を弁座５の中心孔６に挿着できるように構成するとともに、該軸部２の途中に、弁座５に備えた流路（破線で示す）８を覆うように展開させた傘部７を設けてなる。本願弁体１は軸部２及び傘部７を含めてゴム等の弾性素材により構成されている。
【００１１】
前記傘部７の周縁部７ａの底面７ｂには、図２の如く、その内縁に沿って環状膨出部９が形成されている。この場合、傘部７の周縁部の底面７ｂは、前記軸部２の段部３より一定長さＬだけ低位に形成している。したがって、軸部２の基端２ａに設けた突出部４を、図３の如く、弁座５の中心孔６に段部３が密接するようにセットすると、傘部７の周縁部７ａが底面７ｂの内縁に沿って形成した環状膨出部９が、弁座５に環状に密着するように立ち上がることとなる。
【００１２】
換言すれば、段違いにあった軸部２の基端２ａに段部３と、傘部７の周縁部７ａの底面７ｂとが強制的に同高面となるため、傘部７はこれを構成する素材の弾性による反撥力で周縁部７ａの底面７ｂの内縁に形成した環状膨出部９を弁座５に強く押し当てることとなり、弁座５への密着度を確実に増大させるようになる。
【００１３】
本願弁体１は、上述の如く、軸部２の基端２ａに設けた突出部４を、弁座５の中心孔６に挿着させる一方、傘部７の頂部より延出した軸部２の上端２ｂを弁座ハウジング１０に結合した被冠ハウジング１１の中央凹部１２で下向きに押え込んで弁座５に前記段部３を密接させるように設置する（図４参照）。この弁座ハウジング１０と被冠ハウジング１１とは気密液密に結合できれば、図示の構造に限らない。
【００１４】
前記弁座ハウジング１０には、弁座５の中心孔６の周囲に設けた流路８に導通している流体流入口１０ａが設けられている。この流体流入口１０ａはこれに接続した導液チューブ１３の端部に、図４の如く、注射器１４のシリンジ１５の先管１６をきつく差し込むために内面がルアテーパーに形成された接続部材１７を設けてもよい。
【００１５】
また、前記被冠ハウジング１１の中央凹部１２には流路１８が形成されている。したがって、被冠ハウジング１１は前記流路１８を介して流体流出口１１ａに連通している。この流体流出口１１ａはこれに接続した導液チューブ１９を介して体外血液回路や点滴セット等よりなる医療装置２０の流体回路２１の途中に接続手段２２を介して接続するようにしてもよい（図５参照）。ここに、本願弁体１と、弁座ハウジング１０と、被冠ハウジング１１及びこれらの周辺部材を含め注入（側注）装置を構成している。
【００１６】
前記弁座ハウジング１０の流体流入口１０ａは、図４の如く、注射器のシリンジ１５の先管１６を直に接続できるように構成してもよい。この場合には、流体流入口１０ａは短小となるから、これより注射針を挿入して本願弁体１を突き抜いて上方室（医療装置２０の流体回路２１）に充満している薬液などの液体が盗まれる可能性があるので、この盗液行為を防止するため、図５に示すように、流体流入口１０ａの奥側に注射針２３が挿入できないようにするため、段違いの突起２４、２４′からなる針返しを設けている。
【００１７】
次に、本願弁体１の作用について述べる。まず、前記本願弁体１を構成する軸部２の基端２ａに段部３を介して設けた突出部４を、弁座ハウジング１０の弁座５の中心孔６に挿着するとともに、該弁座ハウジング１０に被冠ハウジング１１を被冠して気密液密に結合させる。
【００１８】
前記被冠ハウジング１１を、弁座ハウジング１０に結合させるときに、本願弁体１を構成する軸部２の上端２ｂを、被冠ハウジング１１の中央凹部１２に嵌合させるようにすると、該本願弁体１は軸部２が下向きに押え込まれ、その段部３が弁座５に密接する。この時点で、前記軸部２の段部３より低位になっている傘部７の周縁部７ａの底面７ｂは弁座５に、高さの差Ｌ分だけ強く押し付けられることとなる。この場合、傘部７の周縁部７ａの底面７ｂに内縁に沿って形成した環状膨出部９は弁座５に強く当たるようになる。
【００１９】
次に、上述の如く、本願弁体１と、弁座ハウジング１０と、被冠ハウジング１１及びこれらの周辺部材を含めて構成された注入（側注）装置を、その被冠ハウジング１１より延出した導液チューブ１９を介して体外血液回路や点滴セット等よりなる医療装置２０の流体回路２１の途中に接続手段２２を介して接続する。この場合、前記弁座ハウジング１０の流体流入口１０ａが、注射器のシリンジ１５の先管１６を直に接続できるように構成されているときは、注射器を用いて弁座ハウジング側から薬液等の流体を圧入する。
【００２０】
しかして、流体流入口１０ａから圧入された流体は、弁座５の中心孔６の周囲に設けた流路８を通して傘部７の内面に注入され、弁座５に強く当たっていた前記傘部７の周縁部７ａの底面の環状膨出部９をこじ開け、被冠ハウジング１１から流路１８を介して流体流出口１１ａに至り、導液チューブ１９を介して体外血液回路や点滴セット等よりなる医療装置２０の流体回路２１に注入される。
【００２１】
注射器のシリンジ内に収容されていた所定の薬液等の流体の注入が完了して弁座ハウジング１０側の圧が下がり、被冠ハウジング１１側の圧が上がったときは、本願弁体１の傘部７はその周縁部７ａの底面７ｂに内縁に沿って形成した環状膨出部９を介して弁座５に強く当たっているため、逆向きの流体は確実に遮断できることとなる。
【００２２】
本願弁体１は軸部２の上下においてしっかり固定されるため、弁座５とこれに密接する傘部７の周縁部７ａの環状膨出部９との接触精度が高く、弁体と弁座とのガタによる逆流防止弁としての機能が阻害されることがない。
【産業上の利用可能性】
【００２３】
本願弁体１は、軸部２の基端２ａに段部３を介して突出させた突出部４を、弁座５の中心孔６に挿着し、傘部７の頂部より突出した軸部２の上端２ｂを弁座ハウジング１０に結合した被冠ハウジング１１の一部で押え込むようにするだけで簡単に設置できる利点がある。その場合、軸部２の段部３より傘部７の周縁部の底面が低位になっているため、弁座５に対して高さの差分だけ強く押し付けられる上に、傘部７の周縁部の底面の内縁には環状膨出部９が形成されているので、その環状膨出部９の作用により、弁座ハウジング側から圧入される流体の流れには容易に開放作動するが、被冠ハウジング側（逆方向）からの流れには確実に流路を遮断できるという極めて有効な傘形弁となる。
【図面の簡単な説明】
【００２４】
【図１】本願弁体の正面断面図である。
【図２】本願弁体の要部拡大断面図である。
【図３】本願弁体の弁座へのセット時の傘部の周縁部の拡大断面図である。
【図４】本願弁体とそのハウジングを示す断面図である。
【図５】針返し手段を有する本願弁体のハウジングを示す断面図である。
【図６】（ａ）、（ｂ）は従来例を示す断面図である。
【符号の説明】
【００２５】
１  本願弁体
２  軸部
２ａ  基端
２ｂ  上端
３  段部
４  突出部
５  弁座
６  中心孔
７  傘部
７ａ  周縁部
７ｂ  底面
８  流路
９  環状膨出部
１０  弁座ハウジング
１０ａ  流体流入口
１１  被冠ハウジング
１１ａ  流体流出口
１２  中央凹部
１３  導液チューブ
１４  注射器
１５  シリンジ
１６  先管
１７  接続部材
１８  流路
１９  導液チューブ
２０  医療装置
２１  流体回路
２２  接続手段
２３  注射針
２４、２４′  段違いの突起
Ｌ  一定長さ
【図１】
2007010124.tif 000003
【図２】
2007010124.tif 000004
【図３】
2007010124.tif 000005
【図４】
2007010124.tif 000006
【図５】
2007010124.tif 000007
【図６】
2007010124.tif 000008